(57)【特許請求の範囲】
【請求項１】
レリーズボタンと、
導電性の材料によって、第１ストローク調整部、第２ストローク調整部、の順に径が小さくなるように形成され、かつ該第１ストローク調整部と該第２ストローク調整部との径の違いにより段部が形成されていると共に、前記レリーズボタンの押し込みに連動して変位するように交換可能に取り付けられた調整部材と、
前記第２ストローク調整部が貫通し、かつ前記段部が当接する大きさの穴が形成された第１の電気接片と、
前記第１の電気接片の下方に配置され、前記第２ストローク調整部が貫通する大きさの穴が形成された第２の電気接片と、
前記第２の電気接片の下方に配置された第３の電気接片と、を備え、
前記レリーズボタンの押し込まれて前記調整部材が変位していく際における、前記第１の電気接片が前記段部の当接により弾性変形されて前記第２の電気接片と接触されるまでの前記レリーズボタンの第１ストローク量が、前記第１ストローク調整部の前記変位方向の長さに応じて設定され、さらに前記レリーズボタンが押し込まれた際における、前記調整部材と前記第３の電気接片とが接触するまでの前記レリーズボタンの第２ストローク量が、前記第２ストローク調整部の前記変位方向の長さに応じて設定されることを特徴とするカメラ。
【請求項２】
前記レリーズボタンと前記調整部材とを連結し、前記レリーズボタンの押し込みに応じて移動する移動部材を有することを特徴とする請求項１に記載のカメラ。
【請求項３】
前記調整部材が前記移動部材に挿入された状態で、前記移動部材と前記レリーズボタンとが螺合されることで、前記調整部材、前記移動部材、前記レリーズボタンが連結されることを特徴とする請求項２に記載のカメラ。
【発明の詳細な説明】
【０００１】
【発明の属する技術分野】
本発明は、カメラに関し、特にレリーズスイッチに関するものである。
【０００２】
【従来の技術】
一般的なカメラのレリ−ズスイッチは、単にシャッタ−動作のためのスイッチだけでなく、シャッタ動作前には測光動作や焦点検出動作を行わせるためのスイッチも備えた、２段押し式のスイッチで構成されている。
【０００３】
しかし、この様な２段押し式のレリ−ズスイッチはカメラの操作に慣れていない初心者などが、カメラを操作するような場合には、レリ−ズボタンを半押しすることで、測光動作や焦点検出動作を開始する第１スイッチがＯＮするまでの第１ストロ−クと、その後更にレリ−ズボタンを押し込むことでシャッタ−動作を開始する第２スイッチがＯＮするまでの第２ストロ−クの、両方のストロ−クの量を長く設定する事により、確実な操作が可能となる。
【０００４】
しかしながら一方、シャッタ−チャンスを重視するような使用者の場合には、レリ−ズボタン半押し状態のまま（第１スイッチがＯＮ）でシャッタ−チャンスを待ち、シャッタ−チャンスの瞬間にシャッタ−を開閉動作する（第２スイッチをＯＮ）する必要がある。そのために、レリ−ズボタンを半押しすることで、測光動作や焦点検出動作を開始する第１スイッチがＯＮするまでの第１ストロ−クと、その後更にレリ−ズボタンを押し込むことでシャッタ−動作を開始する第２スイッチがＯＮするまでの第２ストロ−クの内、第２ストロ−クの量は短く設定する事により、俊敏な操作が可能になる。
【０００５】
これらの問題を解決するカメラとしては、特開平０９−３２５４０７号においても開示されている。この特開平０９−３２５４０７号は図７で示したように、雄ねじ部材１３４を調整することで、第１の電気接片１０４と第２の電気接片１０６の先端部間での間隔、および、第２の電気接片１０６と第３の電気接片１０８の先端部間での間隔を変更でき、これにより、半押し状態までのレリ−ズストロ−ク、半押し状態からシャッタ−開閉までのレリ−ズストロ−クををカメラの使用者の好みに応じて調整できるものである。
【０００６】
また一方、寒冷地等において手袋をしたままでカメラを操作するような場合などは、外装カバ−に対するレリ−ズボタンの突出量が適度に多い方が好ましく、また、測光動作や焦点検出動作を開始する第１スイッチがＯＮするまでの第１ストロ−ク量も、長く設定する事により、この様な状況下でも確実な操作が可能となる。
【０００７】
これらの問題を解決するカメラとしては、特開平０２−８９０３７号においても開示されている。特開平０２−８９０３７号は図８で示したように、レリ−ズボタン２１０を回転させてレリ−ズボタン軸２３０から取り外すと、調整部材２２０を容易に交換する事が可能となり、図９に示したように調整部材２２０のＬ１の長さを変更することにより、測光動作や焦点検出動作を開始する第１スイッチがＯＮするまでの第１ストロ−ク量の調整が可能となる。また、調整部材２２０のＬ２の長さを変更することにより、保持体２５０（外装カバ−）に対するレリ−ズボタンの突出量も調整が可能となる。
【０００８】
つまり、先の問題点でも上げたレリ−ズスイッチのストロ−ク量だけでなく、レリ−ズボタンの突出量においても使用者個々の好みや要求は異なってくる。
【０００９】
【発明が解決しようとする課題】
しかしながら、上記従来例では以下のような欠点があった。
【００１０】
特開平０９−３２５４０７号における構成では、図７で示したように、ストロ−ク調整を行う雄ねじ部材１３４の直上にカメラカバ−１４０が配置されているため、一旦カメラカバ−１４０をカメラ本体等から取り外してからでないと、雄ねじ部材１３４は回すことができなかった。さらにストロ−ク調整終了後には再度カメラカバ−１４０をカメラ本体等に取り付けなくてはならず、また、それらカメラカバ−１４０を取り外したり、雄ねじ部材１３４を回転してストロ−ク調整するためには、ドライバ−等の工具も必要であり、結果、上記従来例では容易にストロ−ク調整の作業が行えないだけでなく、ユ−ザ−自身によるストロ−ク調整作業も非常に困難であった。また、この構成ではカメラカバ−１４０に対するレリ−ズボタンの突出量の調整を行うことも不可能である。
【００１１】
一方、特開平０２−８９０３７号における構成では、図８で示した様に、調整部材２２０を交換することにより、保持体２５０（外装カバ−）に対するレリ−ズボタンの突出量および、第１スイッチがＯＮするまでの第１ストロ−ク量の調整は可能であるが、第２スイッチがＯＮするまでの第２ストロ−ク量の調整を行うことは不可能である。
【００１２】
本発明は前記問題点に着目したものであり、従って本発明の目的は、第１スイッチがＯＮするまでの第１ストロ−ク量および第２スイッチがＯＮするまでの第２ストロ−ク量の調整を容易に行えるようにしたカメラを提供することである。
【００１３】
【課題を解決するための手段】
上記目的を達成するために、レリーズボタンと、導電性の材料によって、第１ストローク調整部、第２ストローク調整部、の順に径が小さくなるように形成され、かつ該第１ストローク調整部と該第２ストローク調整部との径の違いにより段部が形成されていると共に、前記レリーズボタンの押し込みに連動して変位するように交換可能に取り付けられた調整部材と、前記第２ストローク調整部が貫通し、かつ前記段部が当接する大きさの穴が形成された第１の電気接片と、前記第１の電気接片の下方に配置され、前記第２ストローク調整部が貫通する大きさの穴が形成された第２の電気接片と、前記第２の電気接片の下方に配置された第３の電気接片と、を備え、前記レリーズボタンの押し込まれて前記調整部材が変位していく際における、前記第１の電気接片が前記段部の当接により弾性変形されて前記第２の電気接片と接触されるまでの前記レリーズボタンの第１ストローク量が、前記第１ストローク調整部の前記変位方向の長さに応じて設定され、さらに前記レリーズボタンが押し込まれた際における、前記調整部材と前記第３の電気接片とが接触するまでの前記レリーズボタンの第２ストローク量が、前記第２ストローク調整部の前記変位方向の長さに応じて設定されることを特徴とする。
【００１６】
【発明の実施の形態】
以下、図面を参照して本発明の実施の形態について詳細に説明する。
図１は本発明によるカメラのレリ−ズスイッチの一実施の形態を示す断面図である。同図において、カメラのレリ−ズスイッチ１は、第１の電気接片１１、第２の電気接片１２、第３の電気接片１３、第１乃至第３の電気接片１１、１２、１３の保持部２０、第２、第３の電気接片１２、１３のストッパをなす指示部材３０、レリ−ズボタン４０、調整部材５０、移動部材６０、カメラカバ−７０などを含んで構成されている。
【００１７】
第１の電気接片１１、第２の電気接片１２、第３の電気接片１３は、導電性および弾性を有する材料により、いずれも略短冊形の板ばねで形成され、先端部板面をレリ−ズボタン４０の方向に向け間隔をおいて並べられ、基端部は、各電気接片間に絶縁材料から成るスぺ−サ２１を介在させてカメラ本体３１にねじ２２により締め付け固定されている。第１の電気接片１１の接触部１１ｃと、調整部材５０の段接触部５０ｃとは常に当接し、調整部材５０と一体的に移動するレリ−ズボタン４０を上方向へ押し上げるように付勢している。第２の電気接片１２はレリ−ズボタン４０の方向に付勢されており、支持部材３０の規制部３０ａに、先端部１２ｃが当接することで位置が規制されている。同様に第３の電気接片１３はレリ−ズボタン４０の方向に付勢されており、支持部材３０の規制部３０ｂに、先端部１３ｃが当接することで位置が規制されている。
【００１８】
レリ−ズボタン４０は、実際に操作される操作部４０ａとねじ部４０ｂにより構成されている。調整部材５０は、導電性を有する材料（または表面処理）にて形成され、第１ストロ−ク、第２ストロ−クおよびレリ−ズボタン４０の突出量を調整するために、形状の異なる別の調整部材に交換することが可能である。移動部材６０は、その内側に雌ねじ部６０ｂと調整部材５０との嵌合部６０ｃを有し、雌ねじ部６０ｂはレリ−ズボタン４０のねじ部４０ｂと一対になっており、その外周部６０ａがカメラカバ−７０の穴７０ａと、上下方向へ移動可能に嵌合されている。またその外周の一部には、止め輪６１をはめ込むための溝６０ｅが形成されている。カメラカバ−７０はカメラの外装部品（上カバ−）に相当する。
【００１９】
図２は、図１に示したカメラのレリ−ズスイッチの平面図であり、同図はレリ−ズボタン４０、調整部材５０、移動部材６０、カメラカバ−７０等を省略して示した図であり、図３は同じく調整軸５０を拡大して表わした図である。
【００２０】
図２に示したＸ印部が、レリ−ズボタン４０、調整部材５０、移動部材６０の移動軸中心位置であり、第１の電気接片１１には、Ｘ印の位置に図３に示した調整部材５０の先端部の径Ｄ２よりも大きく長穴形状をした穴１１ｂが設けられ、第２の電気接片１２には、第１の電気接片１１の穴１１ｂと同等又はそれ以上の大きさの穴１２ｂが設けられている。また、第１の電気接片１１には、穴１１ｂの近傍にエンボス状の接点部１１ａが設けられている。各電気接片１１、１２、１３にはそれぞれ端子１１ｅ、１２ｅ，１３ｅが形成され、それぞれに例えばリ−ド線が半田付けにより接続され、不図示のカメラ回路へつながっている。また、保持部２０からはピン２０ａが立設されており、このピン２０ａが挿通されるように各電気接片１１、１２、１３の基端部にも、孔がそれぞれ形成されている。これにより、ねじ２２を中心とした各電気接片１１、１２、１３の回転が阻止されている。
【００２１】
図３において、調整部材５０は第２ストロ−ク調整部５０ｂの径Ｄ２、第１ストロ−ク調整部５０ｄの径Ｄ１、レリ−ズボタン突出量調整部５０ｆの径Ｄ３の順に径が大きくなっており、段接触部５０ｃ、段部５０ｅを有している。段接触部５０ｃは、第１の電気接片１１の接触部１１ｃと当接することにより、調整部材５０の先端接触部５０ａでも、第１の電気接片１１と等価の信号接点となっている。段部５０ｅは、移動部材６０の内側に有するストッパ−部６０ｄへ突き当たり、またレリ−ズボタン４０のねじ部４０ｂと移動部材６０の雌ねじ部６０ｂにより締めつけてレリ−ズボタン突出量調整部５０ｆをレリ−ズボタン４０のストッパ−として調整部材５０を固定するようになっている。また、調整部材５０は移動部材６０のストッパ−部６０ｄに突き当たる段部５０ｅを基準にした段接触部５０ｃ迄の長さＬ１を変えることにより、第１スイッチがＯＮするまでの第１ストロ−クの調整を可能とし、同じくレリ−ズボタン突出量調整部５０ｇ迄の長さＬ３の長さを変えることにより、レリ−ズボタン４０の突出量の調整を可能とする。また段接触部５０ｃを基準にした先端接触部５０ａ迄の長さＬ２を変えることにより、第２スイッチがＯＮするまでの第２ストロ−クの調整を可能とする。調整時は、調整軸５０の前記Ｌ１、Ｌ２、Ｌ３の各長さが異なる調整軸を幾つか用意し、それらの中から使用者の好みに合う調整軸に交換していく。
【００２２】
図４は、図１において、レリ−ズボタン４０をはずしたときの斜視図であり、移動部材６０とカメラカバ−７０の回転止めを示す図である。
同図において、移動部材６０は、二方取りを有するフランジ部６０ｅを有し、カメラカバ−７０は、二方取りの溝７０ｃを形成するように、回転規制座７０ｂを設けてある。レリ−ズボタン４０の着脱時は、レリ−ズボタン４０を押し込み、移動部材６０の前記フランジ６０ｅの二方取り部とカメラカバ−７０の二方取りの溝７０ｃを係合させることにより、確実にねじの取り外しおよび締めつけを行うことができる。このような構成により、レリ−ズボタン４０は、移動部材６０および調整軸５０とは見かけ上、一体のものとなり、第１の電気接片１１により、上方へばね付勢されている。そして、第１および第２ストロ−ク調整およびレリ−ズボタン突出量調整を行うときは、レリ−ズボタン４０のみをはずし、調整軸５０を取り出すことが可能となる。
【００２３】
図５および図６は本発明の一実施の形態におけるカメラのレリ−ズスイッチの動作を説明するにための断面図であり、上記説明してきた構成のカメラのレリ−ズスイッチについて、図５および図６を用いて動作の説明をする。
【００２４】
図５に示すように、レリ−ズボタン４０が半押しされると、レリ−ズボタン４０と一体的に固定された調整軸５０の段接触部５０ｃは、第１の電気接片１１の接触部１１ｃと当接しているため、第１の電気接片１１が撓み、接点部１１ａと第２の電気接片１２の接点部１２ａが導通し、測光動作や焦点検出動作を開始する為の第１スイッチがＯＮする。これにより、レンズ絞りの絞り量やシャッタ−の秒時が適切に設定され、また被写体までの距離が演算されて焦点距離が調整される。
【００２５】
次に図６に示すように、レリ−ズボタン４０が更に押されると、第２の電気接片１２は、接点部１２ａと第１の電気接片部１１の接点部１１ａとが接触しているため第１の電気接片１１と共に撓んでいき、調整軸５０の先端接触部５０ａと第３の電気接片１３の接触部１３ａとが導通し、つまり第１の電気接片１１と第３の電気接片１３が導通することで、シャッタ−動作等を開始する第２スイッチがＯＮし、これによりシャッタ−の駆動装置が作動し、シャッタ−が開閉しフィルム等へ露光が成される。
【００２６】
以上のような構成において、図１および図２を用いてストロ−ク量及び突出量の調整方法の説明をする。
【００２７】
レリ−ズボタン４０を押し込み、移動部材６０の前記フランジ部６０ｅの二方取り部とカメラカバ−７０の二方取りの溝７０ｃを係合させた状態で、レリ−ズボタン４０を回転させるとねじ部４０ｂが緩み、レリ−ズボタン４０が取り外せる。これにより、調整軸５０も取り外せるので、事前に用意された別調整軸５０に交換する。次に、再度レリ−ズボタン４０を先とは逆方向に回転させ、レリ−ズボタン４０を押し込み、移動部材６０の前記フランジ部６０ｅの二方取り部とカメラカバ−７０の二方取りの溝７０ｃを係合させた状態で、ねじ部４０ｂを締めつける。
【００２８】
ここで例えば、交換前の調整軸５０のＬ２に対して別調整軸５０のＬ２の長さを長くした物に交換すると、調整軸５０の先端部接触部５０ａと第３の電気接片１３の接触部１３ａとの間隔だけを短くできる。従って、第１スイッチがＯＮするまでの第１ストロ−ク量とカメラカバ−に対するレリ−ズボタンの突出量は変わらず、第２スイッチがＯＮするまでの第２ストロ−ク量のみを短く設定することができる。従って、レリ−ズボタン４０を半押し状態としてシャッタ−チャンスを待ち、シャッタ−チャンスに撮影を行う場合に有利な設定となる。
【００２９】
また例えば、交換前の調整軸５０のＬ１に対して別調整軸５０のＬ１の長さを短くし、更にＬ２の長さも僅かに短くした物に交換すると、第１の接片の接点部１１ａと第２の電気接片１２の接点部１２ａとの間隔を長くし、更に調整軸５０の先端接触部５０ａと第３の電気接片１３の接触部１３ａとの間隔も長くできる。従って、カメラカバ−に対するレリ−ズボタンの突出量は変わらす、第１スイッチがＯＮするまでの第１ストロ−ク量と第２スイッチがＯＮするまでの第２ストロ−ク量の両方を長く設定することができる。従って、カメラの操作に慣れていない初心者などが、カメラを操作するような場合に有利な設定となる。
【００３０】
また例えば、交換前の調整軸５０のＬ３に対して別調整軸５０のＬ３の長さを長くし、更にＬ１の長さは短くした物に交換すると、レリ−ズボタン４０のカメラカバ−７０に対する突出量が多くなり、更に第１の接片の接点部１１ａと第２の電気接片１２の接点１２ａとの間隔が長くできる。
従って、第２スイッチがＯＮするまでの第２ストロ−ク量は変わらず、カメラカバ−に対するレリ−ズボタンの突出量を多く設定でき、また、第１スイッチがＯＮするまでの第１ストロ−ク量も長く設定することができる。従って、寒冷地等において手袋をしたままでカメラを操作するような場合に有利な設定となる。
【００３１】
すなわち、本実施の形態によれば、調整軸５０のＬ１、Ｌ２、Ｌ３個々の長さを調整することで、第１スイッチがＯＮするまでの第１ストロ−ク量、第２スイッチがＯＮするまでの第２ストロ−ク量、および、カメラカバ−に対するレリ−ズボタンの突出量のそれぞれを、別々に調整できる。
【００３３】
【発明の効果】
以上、説明したように本発明によれば、調整部材だけで、第１スイッチがＯＮするまでの第１ストロ−ク量および第２スイッチがＯＮするまでの第２ストロ−ク量を個々に調整が可能となり、様々なカメラの使用者の微妙な要求に応じることが可能となる。
【００３４】
また、カメラカバ−等を外すことなく、更には、ドライバ−等の工具を使うことなく調整を行うことができるので、素早い調整作業が可能となる。
【図面の簡単な説明】
【図１】本発明によりカメラのレリ−ズスイッチの一例を示す断面図である。
【図２】本発明によるカメラのレリ−ズスイッチの一例を示す平面図である。
【図３】図１の調整部材を拡大して示した正面図である。
【図４】図１のレリ−ズボタンを外した状態を示した一部断面斜視図である。
【図５】本発明によるカメラのレリ−ズスイッチの動作を説明するための断面正面図である。
【図６】本発明によるカメラのレリ−ズスイッチの動作を説明するための断面正面図である。
【図７】従来例のカメラのレリ−ズスイッチの断面正面図である。
【図８】他の従来例のカメラのレリ−ズスイッチの断面正面図である。
【図９】図８の調整部材を拡大して示した正面図である。
【符号の説明】
１  レリ−ズスイッチ
１１  第１の電気接片
１２  第２の電気接片
１３  第３の電気接片
２０  保持部
３０  指示部材
４０  レリ−ズボタン
５０  調整部材
６０  移動部材
７０  カメラカバ−
【図１】
0004100763.tif 000002
【図２】
0004100763.tif 000003
【図３】
0004100763.tif 000004
【図４】
0004100763.tif 000005
【図５】
0004100763.tif 000006
【図６】
0004100763.tif 000007
【図７】
0004100763.tif 000008
【図８】
0004100763.tif 000009
【図９】
0004100763.tif 000010